(57)【要約】【課題】ユーザがポイントの共通化又は取得といったポイント移動を、ポイントの出所や行先が判らないように自由に行うことにより、ポイントを有効に活用し得るように支援する手段を提供する。【解決手段】本サーバ１０は、第１ユーザ端末２０Ａより、ポイントの共通化を希望するポイント共通化情報を受信する。本サーバは、共通化されたポイント数を、第１記憶部に記憶する第１のユーザのユーザポイントから減算すると共に、グループポイントとして第２記憶部へ記憶する。また、本サーバは、第２ユーザ端末２０Ｂより、ポイントの取得を希望するポイント取得情報を受信する。本サーバは、取得希望のあったポイント数をグループポイントから減算すると共に、第２のユーザのユーザポイントとして第１記憶部に記憶する第２のユーザのユーザポイントに加算する。【選択図】図１
2009053865.tif 000002
【特許請求の範囲】
【請求項１】
商品等の購入を行うことでポイントの付与を受けたユーザがそれぞれ利用する複数のユーザ端末と通信ネットワークを介して接続され、前記ユーザが獲得したポイントの活用を支援するようにした装置であって、
前記ユーザごとに付与したユーザを特定するユーザ識別情報と、当該ユーザが獲得したユーザポイント数と、を互いに関連付けて記憶する第１記憶手段、
前記ユーザが所属するグループを特定するグループ識別情報と、当該グループに所属する各ユーザが取得可能なグループポイント数と、を互いに関連付けて記憶する第２記憶手段、
前記ユーザ識別情報と、前記グループ識別情報と、を互いに関連付けて記憶する第３記憶手段、
第１のユーザが利用するユーザ端末より、ユーザ識別情報と、当該ユーザが獲得しているポイント数の範囲内において指定された共通化ポイント数と、を含むポイント共通化希望情報を受信するポイント共通化情報受信手段、
前記ポイント共通化希望情報の受信に応じ、前記第１記憶手段を参照してポイント共通化希望情報に含まれるユーザ識別情報に基づきユーザポイント数を特定し、当該ユーザポイント数からポイント共通化希望情報に含まれる共通化ポイント数を減算し、減算後のポイント数をユーザポイント数として前記第１記憶手段に記憶するユーザポイント数更新手段、
前記ポイント共通化希望情報の受信に応じ、前記第３記憶手段を参照してポイント共通化希望情報に含まれるユーザ識別情報に基づきグループ識別情報を特定すると共に、当該グループ識別情報に基づき前記第２記憶手段を参照してグループポイント数を特定し、ポイント共通化希望情報に含まれる共通化ポイント数を、前記グループポイント数に加算し、加算後のポイント数をグループポイント数として前記第２記憶手段に記憶するグループポイント数更新手段、
を少なくとも有していることを特徴とするポイント活用支援装置。
【請求項２】
第２のユーザが利用するユーザ端末より、ユーザ識別情報と、前記第２記憶手段に記憶されたグループポイント数の範囲内において指定された取得ポイント数と、を含むポイント取得情報を受信するポイント取得情報受信手段、をさらに有し、
前記ユーザポイント数更新手段は、前記ポイント取得情報の受信に応じ、前記第１記憶手段を参照してポイント取得情報に含まれるユーザ識別情報に基づきユーザポイント数を特定し、ポイント取得情報に含まれる取得ポイント数を、前記ユーザポイントに加算し、加算後のポイント数をユーザポイント数として前記第１記憶手段に記憶し、
前記グループポイント数更新手段は、前記ポイント取得情報の受信に応じ、前記第３記憶手段を参照してポイント取得情報に含まれるユーザ識別情報に基づきグループ識別情報を特定すると共に、当該グループ識別情報に基づき前記第２記憶手段を参照してグループポイント数を特定し、当該グループポイント数からポイント取得情報に含まれる取得ポイント数を減算し、減算後のポイント数をグループポイント数として前記第２記憶手段に記憶する、
ことを特徴とする請求項１に記載のポイント活用支援装置。
【請求項３】
前記商品の販売によって販売価格に応じたポイントの発行を行う店舗の管理者が利用する店舗端末と通信ネットワークを介してさらに接続され、
前記店舗端末より、ユーザ識別情報と、商品の購入を行うことで獲得したポイント数と、を含むポイント獲得情報を受信するポイント獲得情報受信手段、をさらに有し、
前記ユーザポイント数更新手段は、前記ポイント獲得情報の受信に応じ、前記第１記憶手段を参照してポイント獲得情報に含まれるユーザ識別情報に基づきユーザポイント数を特定し、ポイント獲得情報に含まれるポイント数を、前記ユーザポイントに加算し、加算後のポイント数をユーザポイント数として前記第１記憶手段に記憶する、
ことを特徴とする請求項１又は２に記載のポイント活用支援装置。
【請求項４】
前記商品の販売によって販売価格に応じたポイントの発行を行う店舗の管理者が利用する店舗端末と通信ネットワークを介してさらに接続され、
前記店舗端末より、ユーザ識別情報と、商品の購入を行うのに必要な利用ポイント数と、を含むポイント利用情報を受信するポイント利用情報受信手段、をさらに有し、
前記ユーザポイント数更新手段は、前記ポイント利用情報の受信に応じ、前記第１記憶手段を参照してポイント利用情報に含まれるユーザ識別情報に基づきユーザポイント数を特定し、当該ユーザポイント数からポイント利用情報に含まれる利用ポイント数を減算し、減算後のポイント数をユーザポイント数として前記第１記憶手段に記憶する、
ことを特徴とする請求項１又は２に記載のポイント活用支援装置。
【請求項５】
商品等の購入を行うことでポイントの付与を受けたユーザがそれぞれ利用する複数のユーザ端末と通信ネットワークを介して接続され、
前記ユーザごとに付与したユーザを特定するユーザ識別情報と、当該ユーザが獲得したユーザポイント数と、を互いに関連付けて記憶する第１記憶手段、
前記ユーザが所属するグループを特定するグループ識別情報と、当該グループに所属する各ユーザが取得可能なグループポイント数と、を互いに関連付けて記憶する第２記憶手段、
前記ユーザ識別情報と、前記グループ識別情報と、を互いに関連付けて記憶する第３記憶手段、
を有する装置により、前記ユーザが獲得したポイントの活用を支援するようにした方法であって、
ポイント共通化情報受信手段が、第１のユーザが利用するユーザ端末より、ユーザ識別情報と、当該ユーザが獲得しているポイント数の範囲内において指定された共通化ポイント数と、を含むポイント共通化希望情報を受信するステップ、
ユーザポイント数更新手段が、前記ポイント共通化情報受信手段でのポイント共通化希望情報の受信に応じ、前記第１記憶手段を参照してポイント共通化希望情報に含まれるユーザ識別情報に基づきユーザポイント数を特定するステップ、
ユーザポイント数更新手段が、特定した当該ユーザポイント数からポイント共通化希望情報に含まれる共通化ポイント数を減算し、減算後のポイント数をユーザポイント数として前記第１記憶手段に記憶するステップ、
グループポイント数更新手段が、前記ポイント共通化希望情報の受信に応じ、前記第３記憶手段を参照してポイント共通化希望情報に含まれるユーザ識別情報に基づきグループ識別情報を特定するステップ、
グループポイント数更新手段が、特定した当該グループ識別情報に基づき前記第２記憶手段を参照してグループポイント数を特定するステップ、
グループポイント数更新手段が、前記ポイント共通化希望情報に含まれる共通化ポイント数を、特定した当該グループポイント数に加算し、加算後のポイント数をグループポイント数として前記第２記憶手段に記憶するステップ、
を少なくとも有していることを特徴とするポイント活用支援方法。
【請求項６】
ポイント取得情報受信手段が、第２のユーザが利用するユーザ端末より、ユーザ識別情報と、前記第２記憶手段に記憶されたグループポイント数の範囲内において指定された取得ポイント数と、を含むポイント取得情報を受信するステップ、
ユーザポイント数更新手段が、前記ポイント取得情報の受信に応じ、前記第１記憶手段を参照してポイント取得情報に含まれるユーザ識別情報に基づきユーザポイント数を特定するステップ、
ユーザポイント数更新手段が、前記ポイント取得情報に含まれる取得ポイント数を、特定した当該ユーザポイントに加算し、加算後のポイント数をユーザポイント数として前記第１記憶手段に記憶するステップ、
グループポイント数更新手段が、前記ポイント取得情報の受信に応じ、前記第３記憶手段を参照してポイント取得情報に含まれるユーザ識別情報に基づきグループ識別情報を特定するステップ、
グループポイント数更新手段が、特定したグループ識別情報に基づき前記第２記憶手段を参照してグループポイント数を特定するステップ、
グループポイント数更新手段が、特定した当該グループポイント数からポイント取得情報に含まれる取得ポイント数を減算し、減算後のポイント数をグループポイント数として前記第２記憶手段に記憶するステップ、
をさらに有することを特徴とする請求項５に記載のポイント活用支援方法。
【請求項７】
商品等の購入を行うことでポイントの付与を受けたユーザがそれぞれ利用する複数のユーザ端末と通信ネットワークを介して接続され、
前記ユーザごとに付与したユーザを特定するユーザ識別情報と、当該ユーザが獲得したユーザポイント数と、を互いに関連付けて記憶する第１記憶手段、
前記ユーザが所属するグループを特定するグループ識別情報と、当該グループに所属する各ユーザが取得可能なグループポイント数と、を互いに関連付けて記憶する第２記憶手段、
前記ユーザ識別情報と、前記グループ識別情報と、を互いに関連付けて記憶する第３記憶手段、
を有する装置により、前記ユーザが獲得したポイントの活用を支援することを実行させるためにコンピュータを、
第１のユーザが利用するユーザ端末より、ユーザ識別情報と、当該ユーザが獲得しているポイント数の範囲内において指定された共通化ポイント数と、を含むポイント共通化希望情報を受信する手段、
前記ポイント共通化希望情報の受信に応じ、前記第１記憶手段を参照してポイント共通化希望情報に含まれるユーザ識別情報に基づきユーザポイント数を特定する手段、
特定した当該ユーザポイント数からポイント共通化希望情報に含まれる共通化ポイント数を減算し、減算後のポイント数をユーザポイント数として前記第１記憶手段に記憶する手段、
前記ポイント共通化希望情報の受信に応じ、前記第３記憶手段を参照してポイント共通化希望情報に含まれるユーザ識別情報に基づきグループ識別情報を特定する手段、
特定した当該グループ識別情報に基づき前記第２記憶手段を参照してグループポイント数を特定する手段、
前記ポイント共通化希望情報に含まれる共通化ポイント数を、特定した当該グループポイント数に加算し、加算後のポイント数をグループポイント数として前記第２記憶手段に記憶する手段、
として機能させることを特徴とするポイント活用支援プログラム。
【請求項８】
第２のユーザが利用するユーザ端末より、ユーザ識別情報と、前記第２記憶手段に記憶されたグループポイント数の範囲内において指定された取得ポイント数と、を含むポイント取得情報を受信する手段、
前記ポイント取得情報の受信に応じ、前記第１記憶手段を参照してポイント取得情報に含まれるユーザ識別情報に基づきユーザポイント数を特定する手段、
前記ポイント取得情報に含まれる取得ポイント数を、特定した当該ユーザポイントに加算し、加算後のポイント数をユーザポイント数として前記第１記憶手段に記憶する手段、
前記ポイント取得情報の受信に応じ、前記第３記憶手段を参照してポイント取得情報に含まれるユーザ識別情報に基づきグループ識別情報を特定する手段、
特定したグループ識別情報に基づき前記第２記憶手段を参照してグループポイント数を特定する手段、
特定した当該グループポイント数からポイント取得情報に含まれる取得ポイント数を減算し、減算後のポイント数をグループポイント数として前記第２記憶手段に記憶する手段、
としてさらに機能させることを特徴とする請求項７に記載のポイント活用支援プログラム。
【発明の詳細な説明】
【技術分野】
【０００１】
本発明は、通信ネットワーク上に開設されたポイント活用支援サイトにて、ユーザがポイントの共通化又は取得といったポイント移動を自由に行うことにより、ポイントを有効に活用し得るように支援するポイント活用支援装置、ポイント活用支援方法、及びポイント活用支援プログラムに関するものである。
【背景技術】
【０００２】
近年、商品又は役務（以下、「商品等」という。）の購入金額や来店回数等に応じ、一定の条件で計算されたポイントをユーザに対して付与するサービスが行なわれている。このポイントは、所定のポイントに達することで、店舗にて販売する商品等の提供や割引を受けることが可能となる価値を有している。したがって、ユーザ側にとっては安価で商品等を得ることができる利点があると共に、店舗側にとっては自分の店舗にて商品等を購入させる囲い込みを促すことができる利点がある。
【０００３】
このようなポイントを利用したシステムは種々提案されており、新たにポイントカードを発行せずに、ユーザが所有している既存のカードをポイントカードとして用いるようにしたり、容易にシステムを構築することができるようにしたり、店舗ごとのポイントカードを所持せずに、一枚のカードでポイント残高を知ることができるようにした手段が提案されている（たとえば、特許文献１乃至３参照）。
【０００４】
ところが、今までのポイントシステムでは、ポイント自体に有効期限があり、有効期限を過ぎてしまうと商品等の提供や割引を受けることができなくなってしまうことや、所定のポイントまで到達しない（貯まらない）と利用できないという欠点を有していた。
そのため、ポイントを有効に活用し得るようにした手段として、一定のグループ内でポイントを共有し利用可能とした手段が提案されている。（たとえば、特許文献４又は５参照）。
しかしながら、上述したポイントの共有手段では何れも、自分が獲得したポイントと、グループ全体のポイントとが明確に区分けされていないため、自分が獲得したポイントがグループ全体の共有ポイントとなり、自分の意に反してポイントが他のグループメンバーに利用されてしまうことがあった。
【０００５】
そこで、自分が獲得したポイントと、グループ全体のポイントとが明確に区分けし、自分が獲得したポイントを自分の意志に基づいて利用可能とする手段として、ポイントを任意のコミュニティ内で自由に移動・合算することができる手段が提案されている。（たとえば、特許文献６参照）。
しかしながら、上述したポイントの移動・合算手段は、全体的に見ればグループメンバーで利用可能なポイントとすることができるシステムと言えないこともないが、ポイントの移動がポイントの所有者によって左右されてしまう直接的であるため、本当にポイントを必要としているメンバーへポイントを付与することができないものであった。
しかも、移動・合算するポイントの出所や行先が判るため、ポイントを付与（譲渡）した人とポイントを取得（譲受）した人との間で貸し借りの関係が生じてしまう虞もある。
【特許文献１】特開２００２−１３３５２６号公報
【特許文献２】特開平１０−１２４７５４号公報
【特許文献３】特開平５−１４３８６６号公報
【特許文献４】特開２００５−１８２３３４号公報
【特許文献５】特開平１０−２６３１７４号公報
【特許文献６】特開２００２−１５７４９２号公報
【発明の開示】
【発明が解決しようとする課題】
【０００６】
本発明は、上記事情に鑑みて成されたものであり、ユーザがポイントの共通化又は取得といったポイント移動を、ポイントの出所や行先が判らないように自由に行うことにより、ポイントを有効に活用し得るように支援するポイント活用支援装置、ポイント活用支援方法、及びポイント活用支援プログラムを提供することを目的とする。
【課題を解決するための手段】
【０００７】
本発明のポイント活用支援装置は、商品等の購入を行うことでポイントの付与を受けたユーザがそれぞれ利用する複数のユーザ端末と通信ネットワークを介して接続され、前記ユーザが獲得したポイントの活用を支援するようにした装置であって、前記ユーザごとに付与したユーザを特定するユーザ識別情報と、当該ユーザが獲得したユーザポイント数と、を互いに関連付けて記憶する第１記憶手段、前記ユーザが所属するグループを特定するグループ識別情報と、当該グループに所属する各ユーザが取得可能なグループポイント数と、を互いに関連付けて記憶する第２記憶手段、前記ユーザ識別情報と、前記グループ識別情報と、を互いに関連付けて記憶する第３記憶手段、第１のユーザが利用するユーザ端末より、ユーザ識別情報と、当該ユーザが獲得しているポイント数の範囲内において指定された共通化ポイント数と、を含むポイント共通化希望情報を受信するポイント共通化情報受信手段、前記ポイント共通化希望情報の受信に応じ、前記第１記憶手段を参照してポイント共通化希望情報に含まれるユーザ識別情報に基づきユーザポイント数を特定し、当該ユーザポイント数からポイント共通化希望情報に含まれる共通化ポイント数を減算し、減算後のポイント数をユーザポイント数として前記第１記憶手段に記憶するユーザポイント数更新手段、前記ポイント共通化希望情報の受信に応じ、前記第３記憶手段を参照してポイント共通化希望情報に含まれるユーザ識別情報に基づきグループ識別情報を特定すると共に、当該グループ識別情報に基づき前記第２記憶手段を参照してグループポイント数を特定し、ポイント共通化希望情報に含まれる共通化ポイント数を、前記グループポイント数に加算し、加算後のポイント数をグループポイント数として前記第２記憶手段に記憶するグループポイント数更新手段、を少なくとも有していることを特徴とする。
【０００８】
また、本発明のポイント活用支援装置は、第２のユーザが利用するユーザ端末より、ユーザ識別情報と、前記第２記憶手段に記憶されたグループポイント数の範囲内において指定された取得ポイント数と、を含むポイント取得情報を受信するポイント取得情報受信手段、をさらに有し、前記ユーザポイント数更新手段は、前記ポイント取得情報の受信に応じ、前記第１記憶手段を参照してポイント取得情報に含まれるユーザ識別情報に基づきユーザポイント数を特定し、ポイント取得情報に含まれる取得ポイント数を、前記ユーザポイントに加算し、加算後のポイント数をユーザポイント数として前記第１記憶手段に記憶し、前記グループポイント数更新手段は、前記ポイント取得情報の受信に応じ、前記第３記憶手段を参照してポイント取得情報に含まれるユーザ識別情報に基づきグループ識別情報を特定すると共に、当該グループ識別情報に基づき前記第２記憶手段を参照してグループポイント数を特定し、当該グループポイント数からポイント取得情報に含まれる取得ポイント数を減算し、減算後のポイント数をグループポイント数として前記第２記憶手段に記憶する、ことを特徴とする。
【０００９】
また、本発明のポイント活用支援装置は、前記商品の販売によって販売価格に応じたポイントの発行を行う店舗の管理者が利用する店舗端末と通信ネットワークを介してさらに接続され、前記店舗端末より、ユーザ識別情報と、商品の購入を行うことで獲得したポイント数と、を含むポイント獲得情報を受信するポイント獲得情報受信手段、をさらに有し、前記ユーザポイント数更新手段は、前記ポイント獲得情報の受信に応じ、前記第１記憶手段を参照してポイント獲得情報に含まれるユーザ識別情報に基づきユーザポイント数を特定し、ポイント獲得情報に含まれるポイント数を、前記ユーザポイントに加算し、加算後のポイント数をユーザポイント数として前記第１記憶手段に記憶するものとしても良い。
【００１０】
また、本発明のポイント活用支援装置は、前記商品の販売によって販売価格に応じたポイントの発行を行う店舗の管理者が利用する店舗端末と通信ネットワークを介してさらに接続され、前記店舗端末より、ユーザ識別情報と、商品の購入を行うのに必要な利用ポイント数と、を含むポイント利用情報を受信するポイント利用情報受信手段、をさらに有し、前記ユーザポイント数更新手段は、前記ポイント利用情報の受信に応じ、前記第１記憶手段を参照してポイント利用情報に含まれるユーザ識別情報に基づきユーザポイント数を特定し、当該ユーザポイント数からポイント利用情報に含まれる利用ポイント数を減算し、減算後のポイント数をユーザポイント数として前記第１記憶手段に記憶するものとしても良い。
【００１１】
また、本発明のポイント活用支援方法は、商品等の購入を行うことでポイントの付与を受けたユーザがそれぞれ利用する複数のユーザ端末と通信ネットワークを介して接続され、前記ユーザごとに付与したユーザを特定するユーザ識別情報と、当該ユーザが獲得したユーザポイント数と、を互いに関連付けて記憶する第１記憶手段、前記ユーザが所属するグループを特定するグループ識別情報と、当該グループに所属する各ユーザが取得可能なグループポイント数と、を互いに関連付けて記憶する第２記憶手段、前記ユーザ識別情報と、前記グループ識別情報と、を互いに関連付けて記憶する第３記憶手段、を有する装置により、前記ユーザが獲得したポイントの活用を支援するようにした方法であって、ポイント共通化情報受信手段が、第１のユーザが利用するユーザ端末より、ユーザ識別情報と、当該ユーザが獲得しているポイント数の範囲内において指定された共通化ポイント数と、を含むポイント共通化希望情報を受信するステップ、ユーザポイント数更新手段が、前記ポイント共通化情報受信手段でのポイント共通化希望情報の受信に応じ、前記第１記憶手段を参照してポイント共通化希望情報に含まれるユーザ識別情報に基づきユーザポイント数を特定するステップ、ユーザポイント数更新手段が、特定した当該ユーザポイント数からポイント共通化希望情報に含まれる共通化ポイント数を減算し、減算後のポイント数をユーザポイント数として前記第１記憶手段に記憶するステップ、グループポイント数更新手段が、前記ポイント共通化希望情報の受信に応じ、前記第３記憶手段を参照してポイント共通化希望情報に含まれるユーザ識別情報に基づきグループ識別情報を特定するステップ、グループポイント数更新手段が、特定した当該グループ識別情報に基づき前記第２記憶手段を参照してグループポイント数を特定するステップ、グループポイント数更新手段が、前記ポイント共通化希望情報に含まれる共通化ポイント数を、特定した当該グループポイント数に加算し、加算後のポイント数をグループポイント数として前記第２記憶手段に記憶するステップ、を少なくとも有してなることを特徴とする。
【００１２】
また、本発明のポイント活用支援方法は、ポイント取得情報受信手段が、第２のユーザが利用するユーザ端末より、ユーザ識別情報と、前記第２記憶手段に記憶されたグループポイント数の範囲内において指定された取得ポイント数と、を含むポイント取得情報を受信するステップ、ユーザポイント数更新手段が、前記ポイント取得情報の受信に応じ、前記第１記憶手段を参照してポイント取得情報に含まれるユーザ識別情報に基づきユーザポイント数を特定するステップ、ユーザポイント数更新手段が、前記ポイント取得情報に含まれる取得ポイント数を、特定した当該ユーザポイントに加算し、加算後のポイント数をユーザポイント数として前記第１記憶手段に記憶するステップ、グループポイント数更新手段が、前記ポイント取得情報の受信に応じ、前記第３記憶手段を参照してポイント取得情報に含まれるユーザ識別情報に基づきグループ識別情報を特定するステップ、グループポイント数更新手段が、特定したグループ識別情報に基づき前記第２記憶手段を参照してグループポイント数を特定するステップ、グループポイント数更新手段が、特定した当該グループポイント数からポイント取得情報に含まれる取得ポイント数を減算し、減算後のポイント数をグループポイント数として前記第２記憶手段に記憶するステップ、をさらに有するものとしても良い。
【００１３】
また、本発明のポイント活用支援プログラムは、商品等の購入を行うことでポイントの付与を受けたユーザがそれぞれ利用する複数のユーザ端末と通信ネットワークを介して接続され、前記ユーザごとに付与したユーザを特定するユーザ識別情報と、当該ユーザが獲得したユーザポイント数と、を互いに関連付けて記憶する第１記憶手段、前記ユーザが所属するグループを特定するグループ識別情報と、当該グループに所属する各ユーザが取得可能なグループポイント数と、を互いに関連付けて記憶する第２記憶手段、前記ユーザ識別情報と、前記グループ識別情報と、を互いに関連付けて記憶する第３記憶手段、を有する装置により、前記ユーザが獲得したポイントの活用を支援することを実行させるためにコンピュータを、第１のユーザが利用するユーザ端末より、ユーザ識別情報と、当該ユーザが獲得しているポイント数の範囲内において指定された共通化ポイント数と、を含むポイント共通化希望情報を受信する手段、前記ポイント共通化希望情報の受信に応じ、前記第１記憶手段を参照してポイント共通化希望情報に含まれるユーザ識別情報に基づきユーザポイント数を特定する手段、特定した当該ユーザポイント数からポイント共通化希望情報に含まれる共通化ポイント数を減算し、減算後のポイント数をユーザポイント数として前記第１記憶手段に記憶する手段、前記ポイント共通化希望情報の受信に応じ、前記第３記憶手段を参照してポイント共通化希望情報に含まれるユーザ識別情報に基づきグループ識別情報を特定する手段、特定した当該グループ識別情報に基づき前記第２記憶手段を参照してグループポイント数を特定する手段、前記ポイント共通化希望情報に含まれる共通化ポイント数を、特定した当該グループポイント数に加算し、加算後のポイント数をグループポイント数として前記第２記憶手段に記憶する手段、として機能させることを特徴とする。
【００１４】
また、本発明のポイント活用支援プログラムは、第２のユーザが利用するユーザ端末より、ユーザ識別情報と、前記第２記憶手段に記憶されたグループポイント数の範囲内において指定された取得ポイント数と、を含むポイント取得情報を受信する手段、前記ポイント取得情報の受信に応じ、前記第１記憶手段を参照してポイント取得情報に含まれるユーザ識別情報に基づきユーザポイント数を特定する手段、前記ポイント取得情報に含まれる取得ポイント数を、特定した当該ユーザポイントに加算し、加算後のポイント数をユーザポイント数として前記第１記憶手段に記憶する手段、前記ポイント取得情報の受信に応じ、前記第３記憶手段を参照してポイント取得情報に含まれるユーザ識別情報に基づきグループ識別情報を特定する手段、特定したグループ識別情報に基づき前記第２記憶手段を参照してグループポイント数を特定する手段、特定した当該グループポイント数からポイント取得情報に含まれる取得ポイント数を減算し、減算後のポイント数をグループポイント数として前記第２記憶手段に記憶する手段、としてさらに機能させることを特徴とする。
【発明の効果】
【００１５】
本発明のポイント活用支援装置よれば、ユーザが獲得しているポイント数の範囲内において指定された共通化ポイントを、ユーザのユーザポイントから減算すると共に、グループポイントとして加算・記憶させるので、その後、このポイントが何れかのユーザによって取得されたとしても、ポイントの移動が間接的に成されるものとなる。そのため、ポイントの付与先がポイントの所有者によって左右されてしまうことがないと共に、本当にポイントを必要としているメンバーがポイントを取得することができる。
しかも、グループポイントとしてポイント所有を、ユーザ個人からグループ共有へ変更することにより、ポイントの共通化を行ったユーザに対してポイントの行先や、ポイントの取得を行ったユーザに対してポイントの出所が判ることがない。このため、ポイントを共通化（譲渡）した人とポイントを取得（譲受）した人との間で貸し借りの関係が生じてしまう虞もない。
したがって、本発明では、ユーザがポイントの共通化又は取得といったポイント移動を、ポイントの出所や行先が判らないように自由に行うことにより、ポイントを有効に活用し得るように支援するポイント活用支援装置、ポイント活用支援方法、及びポイント活用支援プログラムを提供することができる。
【発明を実施するための最良の形態】
【００１６】
以下、図面を参照しながら、本発明にかかるポイント活用支援装置、ポイント活用支援方法、及びポイント活用支援プログラムの実施の形態について説明する。
本実施の形態は、ユーザが、商店等で商品の購入を行うことで獲得したポイントの共通化又は、共通化されたポイントの取得といったポイント移動を、所定のグループ内で自由に行うことを可能とすることにより、ポイントを有効に活用し得るように支援するものであり、ユーザが通信端末を用いて通信ネットワーク上に開設されたポイント活用支援サイトへアクセスしてホームページをダウンロードし、当該ホームページ上からポイントの移動を行なう場合を例に説明する。
【００１７】
図１は、本発明に係るポイント活用支援装置（以下、「本サーバ」という）の実施形態の一例を示すブロック図である。符号１０は本サーバを示す。
図１に示すように、本サーバ１０は、商品の購入を行うことで獲得したポイントの共通化を行う第１のユーザが利用する第１ユーザ端末２０Ａと、この共通化されたポイントの取得を希望する第２のユーザが利用する第２ユーザ端末２０Ｂとに、それぞれ情報の送受信が可能となるよう通信ネットワークＮＷを介して接続された装置である。
なお、本発明では、ポイントの共通化を行った第１のユーザが、自分が共通化を行ったポイントを取得するものとしても良い。したがって、この場合は第１のユーザが第２のユーザとなり、第１ユーザ端末２０Ａが第２ユーザ端末２０Ｂとなる。
【００１８】
また、本サーバ１０は、商品の販売によって販売価格に応じたポイントの発行を行う店舗の管理者が利用する店舗端末３０と、通信ネットワークＮＷを介してさらに接続された装置でもある。
【００１９】
通信ネットワークＮＷの例としては、インターネットやＬＡＮ（Local Area Network）などのコンピュータ通信網がある。本サーバ１０及び、第１ユーザ端末２０Ａ、第２ユーザ端末２０Ｂ、店舗端末３０は、専用線、公衆交換電話網（ＰＳＴＮ）、無線電話網、ＣＡＴＶ網、衛星通信網等の通信回線を介して通信ネットワークＮＷと接続している。
【００２０】
第１ユーザ端末２０Ａ、第２ユーザ端末２０Ｂ、店舗端末３０は何れも、本サーバ１０と情報の送受信が可能な情報処理装置であればよく、たとえば、パーソナルコンピュータをはじめ、データ通信機能を有するＰＤＡ（Personal Digital Assistant）や携帯電話機などで実現される。また、店舗端末３０は、実際にユーザが出向くことが可能なリアルな店舗の場合、たとえば、店舗に設置されたＰＯＳ（Ｐｏｉｎｔ  Ｏｆ  Ｓａｌｅｓ）システムを利用するレジスタなどの所謂ＰＯＳ端末を言う。
なお、図示例ではそれぞれ一つずつの第１ユーザ端末２０Ａ、第２ユーザ端末２０Ｂ、店舗端末３０しか通信ネットワークＮＷを介して本サーバ１０に接続されていないが、本サーバ１０は、複数のユーザのユーザ端末２０（２０Ａ，２０Ｂ）、複数の店舗の店舗端末３０と、それぞれ接続されているものである。
【００２１】
また、第１ユーザ端末２０Ａ、第２ユーザ端末２０Ｂは何れも、図示しないが、ＣＰＵ（中央処理装置）、プログラム記憶部、マウスやキーボード等の入力装置、ディスプレイやスピーカ等の出力装置、ＯＳ（オペレーティング・システム）、ＷＷＷブラウザ、等を有する。
【００２２】
次に、本サーバ１０を用いたポイント活用支援システムの概要について説明する。
図１に示すように、まず、第１ユーザ端末２０Ａを利用する第１のユーザが、店舗端末３０を備える店舗にて商品を購入する（（Ａ）参照）。店舗は、商品の購入金額に応じたポイントを発行し、店舗端末３０より、第１のユーザへ付与する旨の情報を本サーバ１０へ送信する（（Ｂ）参照）。本サーバ１０は、付与されたポイントを第１のユーザのユーザポイントとして第１記憶部に記憶する（（Ｃ）参照）。これにより、第１のユーザは事前にポイントを獲得（所有）しているものとなる。
【００２３】
そして、ポイントを所有する第１のユーザは、第１ユーザ端末２０Ａより、自らが獲得しているポイント数の範囲内において、所望のポイント数の共通化を希望する旨の情報を本サーバ１０へ送信する（（１）参照）。
本サーバ１０は、上記情報を受信し、共通化希望のあったポイント数を、第１記憶部に記憶する第１のユーザのユーザポイントから減算すると共に、グループポイントとして第２記憶部へ記憶する（（２）参照）。
【００２４】
次いで、第２のユーザが利用する第２ユーザ端末２０Ｂより、グループポイントとして記憶されているポイントの全部又は一部を取得することを希望する旨の情報を本サーバ１０へ送信する（（３）参照）。
本サーバ１０は、上記情報を受信し、取得希望のあったポイント数をグループポイントから減算すると共に、第２のユーザのユーザポイントとして第１記憶部へ記憶する（（４）参照）。
【００２５】
引き続き、第２のユーザが、店舗端末３０を備える店舗にて商品を購入し、ユーザポイントを利用して精算を行う（（５）参照）。
店舗端末３０は、第２のユーザによって購入された商品の購入金額に応じたポイントが利用された旨の情報を本サーバ１０へ送信する（（６）参照）。
そして、本サーバ１０は、上記情報を受信し、利用されたポイント数を、第１記憶部に記憶する第２のユーザのユーザポイントから減算する（（７）参照）。
【００２６】
これにより、商店等で商品の購入を行うことで獲得したポイントの共通化又は、共通化されたポイントの取得といったポイント移動を自由に行うことが可能となり、ポイントを有効に活用し得ることができる。
【００２７】
次に、本サーバ１０の構成について説明する。
本サーバ１０は、第１記憶部としてのユーザポイント情報記憶部ＤＢ１と、第２記憶部としてのグループポイント情報記憶部ＤＢ２と、第３記憶部としてのグループ情報記憶部ＴＢ１と、ポイント共通化情報受信部１１と、ユーザポイント数更新部１５と、グループポイント数更新部１６と、を少なくとも有している。
また、本サーバ１０は、ポイント利用情報受信部１４、をさらに有している。
さらに、本サーバ１０は、ポイント取得情報受信部１２や、ポイント獲得情報受信部１３、をさらに有している。
【００２８】
本サーバ１０は、図示しないが、ＣＰＵ（中央処理装置）やプログラム記憶部等を有する。ＣＰＵは、プログラム記憶部に記憶されたプログラムにしたがい、本サーバ１０の各構成要素を統制制御し、プログラム処理を実行する。プログラム記憶部は、ＲＯＭ（Read Only Memory）やＲＡＭ（Random Access Memory）等で構成され、本サーバ１０が使用する各種プログラムを記憶している。
【００２９】
なお、本サーバ１０では、本発明に係るポイント活用支援プログラム（以下、「本プログラム」という。）が動作して本サーバ１０内の各手段を制御することで、以下に説明するポイント活用支援方法（以下、「本方法」という。）を実現する。
また、本プログラムを記録したコンピュータ読取可能な記録媒体（以下、「本記録媒体」という。）を用いれば、図示しないコンピュータを本サーバ１０と同様に機能させることができる。すなわち、図示しないコンピュータが、本記録媒体から本プログラムを読み取り、それを実行することで、本方法を実現することができる。
【００３０】
ユーザポイント情報記憶部ＤＢ１は、ユーザごとに付与したユーザを特定するユーザ識別情報（以下、「ユーザＩＤ」という。）と、各ユーザが付与を受けたユーザポイント数と、を互いに関連付けて記憶する手段である。
また、ユーザポイント情報記憶部ＤＢ１は、ユーザの氏名や住所、年齢、性別、血液型、趣味、特技、スポーツといったユーザの特徴を表す個人情報の他、ポイントの発行を行う店舗より与えられたポイントカード番号を含めた属性情報を、ユーザＩＤと関連付けて記憶するものとしても良い。
【００３１】
図３は、ユーザポイント情報記憶部ＤＢ１に記憶されている情報の例を示す図である。
たとえば、図３に示すユーザポイント情報データベースでは、ユーザＩＤをインデックスとして、ユーザポイント数と、属性情報とを１レコードとしてデータベースを構成することを示している。なお、ユーザＩＤは、ポイントシステムを利用するため事前に登録を済ませることで、発行・付与される。
【００３２】
グループポイント情報記憶部ＤＢ２は、グループごとに付与したグループを特定するグループ識別情報（以下、「グループＩＤ」という。）と、このグループに所属する各ユーザが取得可能なグループポイント数と、を互いに関連付けて記憶する手段である。
図４は、グループポイント情報記憶部ＤＢ２に記憶されている情報の例を示す図である。
たとえば、図４に示すグループポイント情報データベースでは、グループＩＤをインデックスとして、グループポイント数を１レコードとしてデータベースを構成することを示している。
【００３３】
グループ情報記憶部ＴＢ１は、ユーザＩＤと、グループＩＤと、を互いに関連付けて記憶する手段である。
図５は、グループ情報記憶部ＴＢ１に記憶されている情報の例を示す図である。
たとえば、図５に示すグループ情報テーブルでは、ユーザＩＤと、グループＩＤとを１対１に関連付けて構成することを示している。
また、グループ情報記憶部ＴＢ１は、１つのユーザＩＤに対して複数のグループＩＤが関連付けて記憶されるものとしても良い。
【００３４】
ポイント共通化情報受信部１１は、第１のユーザが利用するユーザ端末２０Ａより、ユーザＩＤと、当該ユーザが獲得しているポイント数の範囲内において指定された共通化ポイント数と、を含むポイント共通化希望情報を受信する処理を行なう。この共通化ポイント数は、第１のユーザがグループポイントとして共通化しても良いポイント数を示す。
ポイント共通化情報受信部１１にて受信されたポイント共通化希望情報は、ユーザポイント数更新部１５及びグループポイント数更新部１６へ送信される。
【００３５】
ポイント取得情報受信部１２は、第２のユーザが利用するユーザ端末より、ユーザＩＤと、前記第２記憶手段に記憶されたグループポイント数の範囲内において指定された取得ポイント数と、を含むポイント取得情報を受信する処理を行なう。このポイント取得情報は、第２のユーザが取得したいと希望するポイント数を示す。
ポイント取得情報受信部１２にて受信されたポイント取得情報は、ユーザポイント数更新部１５及びグループポイント数更新部１６へ送信される。
【００３６】
ポイント獲得情報受信部１３は、店舗端末３０より、ユーザＩＤと、商品の購入を行うことで獲得したポイント数と、を含むポイント獲得情報を受信する処理を行なう。
ポイント獲得情報受信部１３にて受信されたポイント獲得情報は、ユーザポイント数更新部１５及びグループポイント数更新部１６へ送信される。
【００３７】
ポイント利用情報受信部１４は、店舗端末３０より、ユーザＩＤと、商品の購入を行うのに必要な利用ポイント数と、を含むポイント利用情報を受信する処理を行なう。
ポイント利用情報受信部１４にて受信されたポイント利用情報は、ユーザポイント数更新部１５及びグループポイント数更新部１６へ送信される。
【００３８】
ユーザポイント数更新部１５は、ポイント共通化情報受信部１１でのポイント共通化希望情報の受信に応じ、ユーザポイント情報記憶部ＤＢ１を参照してポイント共通化希望情報に含まれるユーザ識別情報に基づきユーザポイント数を特定し、このユーザポイント数からポイント共通化希望情報に含まれる共通化ポイント数を減算し、減算後のポイント数をユーザポイント数としてユーザポイント情報記憶部ＤＢ１に記憶する更新処理を行なう。
【００３９】
この際、ユーザポイント数更新部１５は、たとえば、ユーザ情報特定部１５ａと、ユーザポイント数特定部１５ｂと、ユーザポイント数演算部１５ｃと、から構成されるものとすることができる。
すなわち、ポイント共通化情報受信部１１より送信されたポイント共通化情報の受信に応じ、ユーザ情報特定部１５ａが、ポイント共通化希望情報に含まれるユーザＩＤを特定する。
次いで、ユーザポイント数特定部１５ｂが、特定したユーザＩＤに基づき、ユーザポイント情報記憶部ＤＢ１を参照してユーザポイント数を特定する。
引き続き、ユーザポイント数演算部１５ｃが、特定したユーザポイント数からポイント共通化希望情報に含まれる共通化ポイント数を減算し、減算後のポイント数をユーザポイント数としてユーザポイント情報記憶部ＤＢ１に記憶する。
【００４０】
また、ユーザポイント数更新部１５は、ポイント取得情報受信部１２でのポイント取得情報の受信に応じ、ユーザポイント情報記憶部ＤＢ１を参照してポイント取得情報に含まれるユーザＩＤに基づきユーザポイント数を特定し、ポイント取得情報に含まれる取得ポイント数を、特定したユーザポイントに加算し、加算後のポイント数をユーザポイント数としてユーザポイント情報記憶部ＤＢ１に記憶する更新処理を行なう。
【００４１】
この際、ユーザポイント数更新部１５は、ポイント取得情報受信部１２より送信されたポイント取得情報の受信に応じ、ユーザ情報特定部１５ａが、ポイント取得情報に含まれるユーザＩＤを特定する。
次いで、ユーザポイント数特定部１５ｂが、特定したユーザＩＤに基づき、ユーザポイント情報記憶部ＤＢ１を参照してユーザポイント数を特定する。
引き続き、ユーザポイント数演算部１５ｃが、ポイント取得情報に含まれる取得ポイント数を、特定したユーザポイント数に加算し、加算後のポイント数をユーザポイント数としてユーザポイント情報記憶部ＤＢ１に記憶する。
【００４２】
また、ユーザポイント数更新部１５は、ポイント獲得情報受信部１３でのポイント獲得情報の受信に応じ、ユーザポイント情報記憶部ＤＢ１を参照してポイント獲得情報に含まれるユーザＩＤに基づきユーザポイント数を特定し、ポイント獲得情報に含まれるポイント数を、特定したユーザポイントに加算し、加算後のポイント数をユーザポイント数としてユーザポイント情報記憶部ＤＢ１に記憶する更新処理を行なう。
【００４３】
この際、ユーザポイント数更新部１５は、ポイント獲得情報受信部１３より送信されたポイント獲得情報の受信に応じ、ユーザ情報特定部１５ａが、ポイント獲得情報に含まれるユーザＩＤを特定する。
次いで、ユーザポイント数特定部１５ｂが、特定したユーザＩＤに基づき、ユーザポイント情報記憶部ＤＢ１を参照してユーザポイント数を特定する
引き続き、ユーザポイント数演算部１５ｃが、ポイント獲得情報に含まれるポイント数を、特定したユーザポイントに加算し、加算後のポイント数をユーザポイント数としてユーザポイント情報記憶部ＤＢ１に記憶する。
【００４４】
さらに、ユーザポイント数更新部１５は、ポイント利用情報受信部１４でのポイント利用情報の受信に応じ、ユーザポイント情報記憶部ＤＢ１を参照してポイント利用情報に含まれるユーザＩＤに基づきユーザポイント数を特定し、このユーザポイント数からポイント利用情報に含まれる利用ポイント数を減算し、減算後のポイント数をユーザポイント数としてユーザポイント情報記憶部ＤＢ１に記憶する更新処理を行なう。
【００４５】
この際、ユーザポイント数更新部１５は、ポイント利用情報受信部１４より送信されたポイント利用情報の受信に応じ、ユーザ情報特定部１５ａが、ポイント利用情報に含まれるユーザＩＤを特定する。
次いで、ユーザポイント数特定部１５ｂが、特定したユーザＩＤに基づき、ユーザポイント情報記憶部ＤＢ１を参照してユーザポイント数を特定する
引き続き、ユーザポイント数演算部１５ｃが、このユーザポイント数からポイント利用情報に含まれる利用ポイント数を減算し、減算後のポイント数をユーザポイント数としてユーザポイント情報記憶部ＤＢ１に記憶する。
【００４６】
グループポイント数更新部１６は、ポイント共通化希望情報の受信に応じ、グループ情報記憶部ＴＢ１を参照してポイント共通化希望情報に含まれるユーザＩＤに基づきグループＩＤを特定すると共に、このグループＩＤに基づきグループポイント情報記憶部ＤＢ２を参照してグループポイント数を特定し、ポイント共通化希望情報に含まれる共通化ポイント数を、特定したグループポイント数に加算し、加算後のポイント数をグループポイント数としてグループポイント情報記憶部ＤＢ２に記憶する更新処理を行なう。
【００４７】
この際、グループポイント数更新部１６は、たとえば、グループ情報特定部１６ａと、グループポイント数特定部１６ｂと、グループポイント数演算部１６ｃと、から構成されるものとすることができる。
すなわち、ポイント共通化情報受信部１１より送信されたポイント共通化希望情報の受信に応じ、グループ情報特定部１６ａが、ポイント共通化希望情報に含まれるユーザＩＤに基づき、グループ情報記憶部ＴＢ１を参照してグループＩＤを特定する。
引き続き、グループポイント数特定部１６ｂが、特定したグループＩＤに基づき、グループポイント情報記憶部ＤＢ２を参照してグループポイント数を特定する。
そして、グループポイント数演算部１６ｃが、ポイント共通化希望情報に含まれる共通化ポイント数を、特定したグループポイント数に加算し、加算後のポイント数をグループポイント数としてグループポイント情報記憶部ＤＢ２に記憶する。
【００４８】
また、グループポイント数更新部１６は、ポイント取得情報受信部１２でのポイント取得情報の受信に応じ、グループ情報記憶部ＴＢ１を参照してポイント取得情報に含まれるユーザＩＤに基づきグループＩＤを特定すると共に、このグループＩＤに基づきグループポイント情報記憶部ＤＢ２を参照してグループポイント数を特定し、特定したグループポイント数からポイント取得情報に含まれる取得ポイント数を減算し、減算後のポイント数をグループポイント数としてグループポイント情報記憶部ＤＢ２に記憶する更新処理を行なう。
【００４９】
この際、グループポイント数更新部１６は、ポイント取得情報受信部１２より送信されたポイント取得情報の受信に応じ、グループ情報特定部１６ａが、ポイント取得情報に含まれるユーザＩＤに基づき、グループ情報記憶部ＴＢ１を参照してグループＩＤを特定する。
引き続き、グループポイント数特定部１６ｂが、特定したグループＩＤに基づき、グループポイント情報記憶部ＤＢ２を参照してグループポイント数を特定する。
そして、グループポイント数演算部１６ｃが、特定したグループポイント数からポイント取得情報に含まれる取得ポイント数を減算し、減算後のポイント数をグループポイント数としてグループポイント情報記憶部ＤＢ２に記憶する。
【００５０】
次に、図２に示した本サーバ１０により実行される方法の一例を図６及び図７に基づき説明する。図６及び図７は、以上のように構成された本発明の実施形態に係る本サーバ１０における処理の流れを示すシーケンス図である。
本実施の形態では、第１のユーザが、商店等で商品の購入を行うことでポイントを獲得し、通信ネットワークＮＷを介して接続された第１ユーザ端末２０Ａにおいてポイント活用支援サイトのホームページをダウンロードして、獲得したポイントの全部又は一部を共通化する。引き続き、通信ネットワークＮＷを介して接続された第２ユーザ端末２０Ｂにおいてポイント活用支援サイトのホームページをダウンロードして、この共通化されたポイントを取得した後、第２のユーザが、このポイントを利用して商店で商品等の購入を行うことで、ポイント移動を可能として、ポイントを有効に活用し得るように支援する場合を例に説明する。
【００５１】
まず、本サーバ１０は、ユーザＩＤと、ユーザが付与を受けたユーザポイント数と、を互いに関連付けてユーザポイント情報記憶部ＤＢ１に記憶しておく（（Ａ）参照）。
また、本サーバ１０は、グループＩＤと、グループに所属する各ユーザが取得可能なグループポイント数と、を互いに関連付けてグループポイント情報記憶部ＤＢ２に記憶しておく（（Ｂ）参照）。
また、本サーバ１０は、ユーザＩＤと、グループＩＤと、を互いに関連付けてグループ情報記憶部ＴＢ１に記憶しておく（（Ｃ）参照）。
【００５２】
次に、第１ユーザ端末２０Ａを利用する第１のユーザが、店舗端末３０を備える店舗にて商品を購入したことに伴い、店舗端末３０は、商品の購入金額に応じて発行したポイントを第１のユーザへ付与する旨のポイント獲得情報を本サーバ１０へ送信する（（１０）参照）。
【００５３】
本サーバ１０は、店舗端末３０より送信されたポイント獲得情報を受信する（（２０）参照）。
次いで、本サーバ１０は、ポイント獲得情報の受信に応じ、ユーザポイント情報記憶部ＤＢ１を参照してポイント取得情報に含まれるユーザＩＤに基づきユーザポイント数を特定する（（３０）参照）。
引き続き、本サーバ１０は、ポイント獲得情報に含まれるポイント数を、特定したユーザポイントに加算し、加算後のポイント数を第１のユーザのユーザポイントとしてユーザポイント情報記憶部ＤＢ１に記憶・更新する（（４０）参照）。
【００５４】
また、第１のユーザは第１ユーザ端末２０Ａを起動し、通信ネットワークＮＷを介して本サーバ１０に接続し、本サーバ１０に構築されたポイント活用支援サイトにアクセスしてホームページをダウンロードする。
第１のユーザはポイント活用支援サイトを訪問し、事前に付与されたユーザＩＤと、事前に設定したパスワードを入力し、ログインする。
このポイント活用支援サイトは、たとえば図８に示すような形で表すことが出来る。図８は、本サーバ１０と接続した第１ユーザ端末２０Ａのディスプレイに表示されたポイント活用支援サイトのログイン画面の一例を示す図である。このポイント活用支援サイトログイン画面１００には、このシステムの利用が可能な会員であることを確認するユーザＩＤ入力欄１０１と、パスワード入力欄１０２とからなる会員ログイン欄が表示されている。また、ポイント活用支援サイトログイン画面１００には、会員ログイン欄に入力したユーザＩＤやパスワードにてログインを実行するための「送信」ボタン１０３が表示されている。
【００５５】
したがって、ポイント活用支援サイトにて、ポイントの移動を行なう者は、会員であれば、ユーザＩＤ入力欄１０１にユーザＩＤを入力し、パスワード入力欄１０２にパスワードを入力した後、「送信」ボタン１０３を選択してログインする。
ポイント活用支援サイトログイン画面１００にて「送信」ボタン１０３を選択すると、引き続きメニュー選択画面が第１ユーザ端末２０Ａのディスプレイに表示される。
【００５６】
このメニュー選択画面は、たとえば図９に示すような形で表すことが出来る。図９は、本サーバ１０と接続した第１ユーザ端末２０Ａのディスプレイに表示されたメニュー選択画面の一例を示す図である。このメニュー選択画面１１０には、ポイントの共通化を希望する「ポイント共通化」ボタン１１１、ポイントの取得を希望する「ポイント取得」ボタン１１２、及びポイント活用支援サイトでの作業を終了する「終了」ボタン１１３、がそれぞれ表示されている。
【００５７】
したがって、ポイントの共通化を行なうことを希望するユーザは、「ポイント共通化」ボタン１１１を選択する。
メニュー選択画面１１０にて「ポイント共通化」ボタン１１１を選択すると、引き続きポイント共通化画面が第１ユーザ端末２０Ａのディスプレイに表示される。
このポイント共通化画面は、たとえば図１０に示すような形で表すことが出来る。図１０は、本サーバ１０と接続した第１ユーザ端末２０Ａのディスプレイに表示されたポイント共通化画面の一例を示す図である。このポイント共通化画面１２０には、ポイント共通化情報として、たとえば第１のユーザ自らが所有しているユーザポイント数を示すユーザポイント数表示欄１２１、第１のユーザが獲得しているポイント数の範囲内において共通化を希望するポイント数を指定する共通化ポイント数入力欄１２２、が表示されている。また、ポイント共通化画面１２０には、ポイント共通化を取り消す「取消」ボタン１２３や、入力した内容にてポイント共通化を実行するための「ＯＫ」ボタン１２４、及び一つ前の前画面（すなわち、メニュー選択画面１１０）に戻ることを指示する「戻る」ボタン１２５が表示されている。
【００５８】
したがって、ポイント共通化を行なうことを希望するユーザは、所定の事項を入力した後、「ＯＫ」ボタン１２４を選択する。
これにより、第１ユーザ端末２０Ａは、ユーザＩＤと、共通化ポイント数と、を含むポイント共通化情報を、本サーバ１０へ送信する（（１１０）参照）。
【００５９】
本サーバ１０は、第１ユーザ端末２０Ａより送信されたポイント共通化情報を受信する（（１２０）参照）。
次いで、本サーバ１０は、ポイント共通化情報の受信に応じ、ユーザポイント情報記憶部ＤＢ１を参照してポイント共通化情報に含まれるユーザＩＤに基づきユーザポイント数を特定する。
引き続き、本サーバ１０は、特定したユーザポイント数からポイント共通化情報に含まれる共通化ポイント数を減算し、減算後のポイント数をユーザポイント数としてユーザポイント情報記憶部ＤＢ１に記憶・更新する（（１４０）参照）。
【００６０】
また、サーバ１０は、ポイント共通化情報の受信に応じ、グループ情報記憶部ＴＢ１を参照してポイント共通化情報に含まれるユーザＩＤに基づきグループＩＤを特定する（（１５０）参照）。
引き続き、本サーバ１０は、特定したグループＩＤに基づきグループポイント情報記憶部ＤＢ２を参照してグループポイント数を特定する（（１６０）参照）。
そして、本サーバ１０は、ポイント共通化情報に含まれる共通化ポイント数を、特定したグループポイント数に加算し、加算後のポイント数をグループポイント数としてグループポイント情報記憶部ＤＢ２に記憶・更新する（（１７０）参照）。
【００６１】
また、第２のユーザは第２ユーザ端末２０Ｂを起動し、通信ネットワークＮＷを介して本サーバ１０に接続し、本サーバ１０に構築されたポイント活用支援サイトにアクセスしてホームページをダウンロードする。
第２のユーザはポイント活用支援サイトを訪問し、事前に付与されたユーザＩＤと、事前に設定したパスワードを入力し、ログインする。
このポイント活用支援サイトは、たとえば前述した図８に示すような形で表すことが出来る。
したがって、ポイント活用支援サイトにて、ポイントの移動を行なう者は、会員であれば、ユーザＩＤ入力欄１０１にユーザＩＤを入力し、パスワード入力欄１０２にパスワードを入力した後、「送信」ボタン１０３を選択してログインする。
ポイント活用支援サイトログイン画面１００にて「送信」ボタン１０３を選択すると、引き続きメニュー選択画面が第２ユーザ端末２０Ｂのディスプレイに表示される。
【００６２】
このメニュー選択画面は、たとえば前述した図９に示すような形で表すことが出来る。
したがって、ポイントの取得を行なうことを希望するユーザは、「ポイント取得」ボタン１１２を選択する。
メニュー選択画面１１０にて「ポイント取得」ボタン１１２を選択すると、引き続きポイント取得画面が第２ユーザ端末２０Ｂのディスプレイに表示される。
このポイント取得画面は、たとえば図１１に示すような形で表すことが出来る。図１１は、本サーバ１０と接続した第２ユーザ端末２０Ｂのディスプレイに表示されたポイント取得画面の一例を示す図である。このポイント取得画面１３０には、ポイント取得情報として、たとえば第２のユーザ所属するグループが所有しているグループポイント数を示すグループポイント数表示欄１３１、グループポイント数の範囲内において取得を希望するポイント数を指定する取得ポイント数入力欄１３２、が表示されている。また、ポイント取得画面１３０には、ポイント取得を取り消す「取消」ボタン１３３や、入力した内容にてポイント取得を実行するための「ＯＫ」ボタン１３４、及び一つ前の前画面（すなわち、メニュー選択画面１１０）に戻ることを指示する「戻る」ボタン１３５が表示されている。
【００６３】
したがって、ポイント取得を行なうことを希望するユーザは、所定の事項を入力した後、「ＯＫ」ボタン１３４を選択する。
これにより、第２ユーザ端末２０Ｂは、ユーザＩＤと、取得ポイント数と、を含むポイント取得情報を、本サーバ１０へ送信する（（２１０）参照）。
【００６４】
本サーバ１０は、第２ユーザ端末２０Ｂより送信されたポイント取得情報を受信する（（２２０）参照）。
次いで、本サーバ１０は、ポイント取得情報の受信に応じ、ユーザポイント情報ＤＢ１を参照してポイント取得情報に含まれるユーザＩＤに基づきユーザポイント数を特定する（（２３０）参照）。
引き続き、本サーバ１０は、ポイント取得情報に含まれる取得ポイント数を、特定したユーザポイントに加算し、加算後のポイント数をユーザポイント数としてユーザポイント情報ＤＢ１に記憶・更新する（（２４０）参照）。
【００６５】
また、サーバ１０は、ポイント取得情報の受信に応じ、グループ情報記憶部ＴＢ１を参照してポイント取得情報に含まれるユーザＩＤに基づきグループＩＤを特定する（（２５０）参照）。
引き続き、本サーバ１０は、特定したグループＩＤに基づきグループポイント情報記憶部ＤＢ２を参照してグループポイント数を特定する（（２６０）参照）。
そして、本サーバ１０は、特定したグループポイント数からポイント取得情報に含まれる共通化ポイント数を減算し、減算後のポイント数をグループポイント数としてグループポイント情報記憶部ＤＢ２に記憶・更新する（（２７０）参照）。
【００６６】
また、第２ユーザ端末２０Ｂを利用する第２のユーザが、店舗端末３０を備える店舗にてポイントを利用して商品を購入したことに伴い、店舗端末３０は、商品の購入金額に応じて消費されるポイントを利用する旨のポイント利用情報を本サーバ１０へ送信する（（３１０）参照）。
【００６７】
本サーバ１０は、店舗端末３０より送信されたポイント利用情報を受信する（（３２０）参照）。
次いで、本サーバ１０は、ポイント利用情報の受信に応じ、ユーザポイント情報記憶部ＤＢ１を参照してポイント利用情報に含まれるユーザＩＤに基づきユーザポイント数を特定する（（３３０）参照）。
引き続き、本サーバ１０は、ポイント獲得情報に含まれるポイント数を、特定したユーザポイントから減算し、算後のポイント数をユーザポイント数としてユーザポイント情報記憶部ＤＢ１に記憶・更新する（（３４０）参照）。
【００６８】
次に、以上のような構成による本サーバ１０の基本的な動作の一例を、図１２及び図１３を参照しながら説明する。図１２及び図１３は、上記構成の本サーバ１０での流れを示すフローチャートである。
図１２に示されるように、まず、ポイント獲得情報受信部１３が、店舗端末３０より送信された、ユーザＩＤと、商品の購入を行うことで獲得したポイント数と、を含むポイント獲得情報を受信したか否か判断する（Ｓ１１）。
【００６９】
その結果、ポイント獲得情報受信部１３が、ポイント獲得情報を受信した場合（Ｙ）、ポイント獲得情報受信部１３は、受信したポイント獲得情報をユーザポイント数更新部１５へ送信する。
ユーザポイント数更新部１５は、ポイント獲得情報受信部１３より送信されたポイント獲得情報の受信に応じ、ユーザ情報特定部１５ａにて、ポイント獲得情報に含まれるユーザＩＤを特定し、次いで、ユーザポイント数特定部１５ｂが、特定したユーザＩＤに基づき、ユーザポイント情報記憶部ＤＢ１を参照してユーザポイント数を特定する（Ｓ１２）。
引き続き、ユーザポイント数更新部１５は、ユーザポイント数演算部１５ｃにて、ポイント獲得情報に含まれるポイント数を、ユーザポイント数特定部１５ｂにおいて特定したユーザポイントに加算し、加算後のポイント数をユーザポイント数としてユーザポイント情報記憶部ＤＢ１に記憶し、更新する（Ｓ１３）。
【００７０】
一方、ポイント獲得情報受信部１３が、ポイント獲得情報を受信していない場合（Ｎ）次に、ポイント共通化情報受信部１１が、第１ユーザ端末２０Ａより送信された、ユーザＩＤと、ユーザが獲得しているポイント数の範囲内において指定された共通化ポイント数と、を含むポイント共通化希望情報を受信したか否か判断する（Ｓ１４）。
【００７１】
その結果、ポイント共通化情報受信部１１が、ポイント共通化希望情報を受信した場合（Ｙ）、ポイント共通化情報受信部１１は、ユーザポイント数更新部１５及びグループポイント数更新部１６へ、受信したポイント共通化情報をそれぞれ送信する。
ユーザポイント数更新部１５は、ポイント共通化情報受信部１１より送信されたポイント共通化希望情報の受信に応じ、ユーザ情報特定部１５ａにて、ポイント共通化希望情報に含まれるユーザＩＤを特定し、次いで、ユーザポイント数特定部１５ｂが、特定したユーザＩＤに基づき、ユーザポイント情報記憶部ＤＢ１を参照してユーザポイント数を特定する（Ｓ１５）。
引き続き、ユーザポイント数更新部１５は、ユーザポイント数演算部１５ｃにて、ユーザポイント数特定部１５ｂにおいて特定したユーザポイント数からポイント共通化希望情報に含まれる共通化ポイント数を減算し、減算後のポイント数をユーザポイント数としてユーザポイント情報記憶部ＤＢ１に記憶し、更新する（Ｓ１６）。
【００７２】
また、グループポイント数更新部１６は、ポイント共通化情報受信部１１より送信されたポイント共通化希望情報の受信に応じ、グループ情報特定部１６ａにて、ポイント共通化希望情報に含まれるユーザＩＤに基づき、グループ情報記憶部ＴＢ１を参照してグループＩＤを特定する（Ｓ１７）。
引き続き、グループポイント数更新部１６は、グループポイント数特定部１６ｂにて、グループ情報特定部１６ａにおいて特定したグループＩＤに基づき、グループポイント情報記憶部ＤＢ２を参照してグループポイント数を特定する（Ｓ１８）。
そして、グループポイント数更新部１６は、グループポイント数演算部１６ｃにて、ポイント共通化希望情報に含まれる共通化ポイント数を、グループポイント数特定部１６ｂにおいて特定したグループポイント数に加算し、加算後のポイント数をグループポイント数としてグループポイント情報記憶部ＤＢ２に記憶し、更新する（Ｓ１９）。
【００７３】
一方、ポイント共通化情報受信部１１が、ポイント共通化希望情報を受信していない場合（Ｎ）次に、ポイント取得情報受信部１２が、第２ユーザ端末２０Ｂより送信された、ユーザＩＤと、グループポイント情報記憶部ＤＢ２に記憶されたグループポイント数の範囲内において指定された取得ポイント数と、を含むポイント取得情報を受信したか否か判断する（Ｓ２０）。
【００７４】
その結果、ポイント取得情報受信部１２が、ポイント取得情報を受信した場合（Ｙ）、ポイント取得情報受信部１２は、ユーザポイント数更新部１５及びグループポイント数更新部１６へ、受信したポイント取得情報をそれぞれ送信する。
ユーザポイント数更新部１５は、ポイント取得情報受信部１２より送信されたポイント取得情報の受信に応じ、ユーザ情報特定部１５ａにて、ポイント取得情報に含まれるユーザＩＤを特定し、次いで、ユーザポイント数特定部１５ｂにて、特定したユーザＩＤに基づき、ユーザポイント情報記憶部ＤＢ１を参照してユーザポイント数を特定する（Ｓ２１）。
引き続き、ユーザポイント数更新部１５は、ユーザポイント数演算部１５ｃにて、ポイント取得情報に含まれる取得ポイント数を、ユーザポイント数特定部１５ｂにおいて特定したユーザポイント数に加算し、加算後のポイント数をユーザポイント数としてユーザポイント情報記憶部ＤＢ１に記憶し、更新する（Ｓ２２）。
【００７５】
また、グループポイント数更新部１６は、ポイント取得情報受信部１２より送信されたポイント取得情報の受信に応じ、グループ情報特定部１６ａにて、ポイント取得情報に含まれるユーザＩＤに基づき、グループ情報記憶部ＴＢ１を参照してグループＩＤを特定する（Ｓ２３）。
引き続き、グループポイント数更新部１６は、グループポイント数特定部１６ｂにて、グループ情報特定部１６ａにおいて特定したグループＩＤに基づき、グループポイント情報記憶部ＤＢ２を参照してグループポイント数を特定する（Ｓ２４）。
そして、グループポイント数更新部１６は、グループポイント数演算部１６ｃにて、グループポイント数特定部１６ｂにおいて特定したグループポイント数からポイント取得情報に含まれる取得ポイント数を減算し、減算後のポイント数をグループポイント数としてグループポイント情報記憶部ＤＢ２に記憶し、更新する（Ｓ２５）。
【００７６】
一方、ポイント取得情報受信部１２が、ポイント取得情報を受信していない場合（Ｎ）次に、ポイント利用情報受信部１４が、店舗端末３０より送信された、ユーザＩＤと、商品の購入を行うのに必要な利用ポイント数と、を含むポイント利用情報を受信したか否か判断する（Ｓ２６）。
【００７７】
その結果、ポイント利用情報受信部１４が、ポイント利用情報を受信した場合（Ｙ）、ポイント利用情報受信部１４は、ユーザポイント数更新部１５及びグループポイント数更新部１６へ、受信したポイント取得情報をそれぞれ送信する。
ユーザポイント数更新部１５は、ポイント利用情報受信部１４より送信されたポイント利用情報の受信に応じ、ユーザ情報特定部１５ａにて、ポイント利用情報に含まれるユーザＩＤを特定し、次いで、ユーザポイント数特定部１５ｂにて、特定したユーザＩＤに基づき、ユーザポイント情報記憶部ＤＢ１を参照してユーザポイント数を特定する（Ｓ２７）。
引き続き、ユーザポイント数更新部１５は、ユーザポイント数演算部１５ｃにて、このユーザポイント数からポイント利用情報に含まれる利用ポイント数を減算し、減算後のポイント数をユーザポイント数としてユーザポイント情報記憶部ＤＢ１に記憶し、更新する（Ｓ２８）。
これにより、本サーバ１０での一連の動作は終了（エンド）する。
【００７８】
一方、ポイント利用情報受信部１４が、ポイント利用情報を受信していない場合（Ｎ）、そのまま本サーバ１０での一連の動作は終了（エンド）する。
【００７９】
次に、本実施の形態におけるポイントの移動についての一例を、図１４乃至図１７を参照しながら説明する。図１４乃至図１７は、ポイントの移動を表形式に示す図である。
図１４は、第一のポイント移動例として、第１のユーザが共通化したポイントを第２のユーザが取得する場合について示す。
まず、図１４（ａ）は、第１のユーザが、事前に１０００ポイント（以下、「Ｐ」で示す。）を獲得し、ユーザポイント情報記憶部ＤＢ１に第１ユーザのユーザポイントとして１０００Ｐを記憶している状態を示す。
【００８０】
次いで、図１４（ｂ）は、第１のユーザが、自らが獲得している１０００Ｐから５００Ｐを共通化し、ユーザポイント情報記憶部ＤＢ１に第１ユーザのユーザポイントとして残りの５００Ｐを記憶し、グループポイント情報記憶部ＤＢ２にグループポイントとして５００Ｐが記憶されている状態をそれぞれ示す。
そして、図１４（ｃ）は、第２のユーザが、共通化されている５００Ｐすべてを取得し、ユーザポイント情報記憶部ＤＢ１に第１ユーザのユーザポイントとして５００Ｐ及び、第２ユーザのユーザポイントとして５００Ｐがそれぞれ記憶され、グループポイント情報記憶部ＤＢ２には記憶されたポイントがなく０Ｐである状態を示す。
【００８１】
また、図１５は、第二のポイント移動例として、第１のユーザＡ及び第１のユーザＢがそれぞれ共通化したポイントを第２のユーザが取得する場合について示す。
まず、図１５（ａ）は、第１のユーザＡが事前に１０００Ｐ及び、第１のユーザＢが事前に８００Ｐをそれぞれ獲得し、ユーザポイント情報記憶部ＤＢ１に第１ユーザＡのユーザポイントとして１０００Ｐ、第１ユーザＢのユーザポイントとして８００Ｐをそれぞれ記憶している状態を示す。
【００８２】
次いで、図１５（ｂ）は、第１のユーザＡが、自らが獲得している１０００Ｐから３００Ｐを共通化し、ユーザポイント情報記憶部ＤＢ１に第１ユーザＡのユーザポイントとして残りの７００Ｐ、第１ユーザＢのユーザポイントとして８００Ｐがそれぞれ記憶され、グループポイント情報記憶部ＤＢ２にグループポイントとして３００Ｐが記憶されている状態を示す。
引き続き、図１５（ｃ）は、第１のユーザＢが、自らが獲得している８００Ｐから２００Ｐを共通化し、ユーザポイント情報記憶部ＤＢ１に第１ユーザＡのユーザポイントとして７００Ｐ、第１ユーザＢのユーザポイントとして残りの６００Ｐがそれぞれ記憶され、グループポイント情報記憶部ＤＢ２にグループポイントとして５００Ｐが記憶されている状態を示す。
そして、図１５（ｄ）は、第２のユーザが第２ユーザ端末２０Ｂより、共通化されている５００Ｐすべてを取得し、ユーザポイント情報記憶部ＤＢ１に第１ユーザのユーザポイントとして７００Ｐ、第１ユーザＢのユーザポイントとして残りの６００Ｐ及び、第２ユーザのユーザポイントとして５００Ｐがそれぞれ記憶され、グループポイント情報記憶部ＤＢ２には記憶されたポイントがなく０Ｐである状態を示す。
【００８３】
また、図１６は、第三のポイント移動例として、第１のユーザが共通化したポイントを第２のユーザＡ及び第２のユーザＢがそれぞれ取得する場合について示す。
まず、図１６（ａ）は、第１のユーザが、事前に１０００Ｐを獲得し、ユーザポイント情報記憶部ＤＢ１に第１ユーザのユーザポイントとして１０００Ｐを記憶している状態を示す。
【００８４】
次いで、図１６（ｂ）は、第１のユーザが、自らが獲得している１０００Ｐから５００Ｐを共通化し、ユーザポイント情報記憶部ＤＢ１に第１ユーザのユーザポイントとして残りの５００Ｐが記憶され、グループポイント情報記憶部ＤＢ２にグループポイントとして５００Ｐが記憶されている状態を示す。
引き続き、図１６（ｃ）は、第２のユーザＡが、共通化されている５００Ｐのうち３００Ｐを取得し、ユーザポイント情報記憶部ＤＢ１に第１ユーザのユーザポイントとして５００Ｐ及び、第２ユーザＡのユーザポイントとして３００Ｐがそれぞれ記憶され、グループポイント情報記憶部ＤＢ２にグループポイントとして残りの２００Ｐが記憶されている状態を示す。
そして、図１６（ｄ）は、第２のユーザＢが、共通化されている２００Ｐすべてを取得し、ユーザポイント情報記憶部ＤＢ１に第１ユーザのユーザポイントとして５００Ｐ及び、第２ユーザＡのユーザポイントとして３００Ｐ、第２ユーザＢのユーザポイントとして２００Ｐがそれぞれ記憶され、グループポイント情報記憶部ＤＢ２には記憶されたポイントがなく０Ｐである状態を示す。
【００８５】
また、図１７は、第四のポイント移動例として、第１のユーザが共通化したポイントを第２のユーザＡ及び、第２のユーザＢとしての第１のユーザがそれぞれ取得する場合について示す。
まず、図１７（ａ）は、第１のユーザが、事前に１０００Ｐを獲得し、ユーザポイント情報記憶部ＤＢ１に第１ユーザのユーザポイントとして１０００Ｐを記憶している状態を示す。
【００８６】
次いで、図１７（ｂ）は、第１のユーザが、自らが獲得している１０００Ｐから５００Ｐを共通化し、ユーザポイント情報記憶部ＤＢ１に第１ユーザのユーザポイントとして残りの５００Ｐが記憶され、グループポイント情報記憶部ＤＢ２にグループポイントとして５００Ｐが記憶されている状態を示す。
引き続き、図１７（ｃ）は、第２のユーザＡが、共通化されている５００Ｐのうち３００Ｐを取得し、ユーザポイント情報記憶部ＤＢ１に第１ユーザのユーザポイントとして５００Ｐ及び、第２ユーザＡのユーザポイントとして３００Ｐがそれぞれ記憶され、グループポイント情報記憶部ＤＢ２にグループポイントとして残りの２００Ｐが記憶されている状態を示す。
そして、図１７（ｄ）は、第２のユーザＢとしての第１のユーザが、共通化されている２００Ｐすべてを取得し、ユーザポイント情報記憶部ＤＢ１に第１ユーザのユーザポイントとして７００Ｐ及び、第２ユーザＡのユーザポイントとして３００Ｐがそれぞれ記憶され、グループポイント情報記憶部ＤＢ２には記憶されたポイントがなく０Ｐである状態を示す。
【００８７】
以上のように本実施の形態おいては、第１のユーザのユーザポイントが、共通化されることによってグループポイントとなるので、最終的なポイントの付与先がポイントの所有者によって左右されてしまう虞がなく、本当にポイントを必要としているグループメンバーがポイントを取得することができるものとなる。
また、グループポイントは、その後、第２のユーザが取得して第２のユーザのユーザポイントとするので、ポイントの移動が間接的に成され、ポイントの共通化を行ったユーザに対してポイントの行先や、ポイントの取得を行ったユーザに対してポイントの出所が判ることがない。
したがって、ユーザがポイントの共通化又は取得といったポイント移動を、ポイントの出所や行先が判らないように自由に行うことにより、ポイントを有効に活用し得るように支援することができる。
【００８８】
なお、上記本実施の形態では、商品等の購入を行う店舗として、実際にユーザが出向くことが可能なリアルな店舗の場合について説明したが、本発明において商品等の購入を行う店舗は、通信ネットワークＮＷ上に開設されたショッピングサイトにおけるバーチャルな店舗でも良い。
この場合、バーチャルな店舗にアクセスする際のアクセスＩＤと、前述のユーザＩＤとを関連付けて記憶しておくことで、バーチャルな店舗で購入した商品についてもポイントを付与できるし、また共通ポイントを利用することもできる。
【図面の簡単な説明】
【００８９】
【図１】本発明に係るポイント活用支援装置を用いたポイント活用支援システムの概要を示す図である。
【図２】本発明に係るポイント活用支援装置の実施形態の一例を示すブロック構成図である。
【図３】本発明に係るポイント活用支援装置が備えるユーザポイント情報記憶部に記憶されているデータベース構造の一例である。
【図４】本発明に係るポイント活用支援装置が備えるグループポイント情報記憶部に記憶されているデータベース構造の一例である。
【図５】本発明に係るポイント活用支援装置が備えるグループ情報記憶部に記憶されているテーブル構造の一例である。
【図６】本発明に係るポイント活用方法の処理の流れを示すシーケンス図である。
【図７】図５に示すポイント活用方法の処理の流れの続きを示すシーケンス図である。
【図８】本発明に係るポイント活用支援装置と接続したユーザ端末のディスプレイに表示されたポイント活用支援サイトログイン画面の一例を示す模式図である。
【図９】本発明に係るポイント活用支援装置と接続したユーザ端末のディスプレイに表示されたメニュー選択画面の一例を示す模式図である。
【図１０】本発明に係るポイント活用支援装置と接続したユーザ端末のディスプレイに表示されたポイント共通化画面の一例を示す模式図である。
【図１１】本発明に係るポイント活用支援装置と接続したユーザ端末のディスプレイに表示されたポイント取得画面の一例を示す模式図である。
【図１２】本発明に係るポイント活用支援装置での情報処理の一例を示すフローチャートである。
【図１３】図１１に示すポイント活用支援装置での情報処理の続きを示すフローチャートである。
【図１４】本発明に係るポイント活用支援方法における第一のポイントの移動を表形式に示す図である
【図１５】本発明に係るポイント活用支援方法における第二のポイントの移動を表形式に示す図である
【図１６】本発明に係るポイント活用支援方法における第三のポイントの移動を表形式に示す図である
【図１７】本発明に係るポイント活用支援方法における第四のポイントの移動を表形式に示す図である
【符号の説明】
【００９０】
ＤＢ１  ユーザポイント情報記憶部（第１記憶部）
ＤＢ２  グループポイント情報記憶部（第２記憶部）
ＴＢ１  グループ情報記憶部（第３記憶部）
ＮＷ  通信ネットワーク
１０  ポイント活用支援装置（本サーバ）
１１  ポイント共通化情報受信部
１２  ポイント取得情報受信部
１３  ポイント獲得情報受信部
１４  ポイント利用情報受信部
１５  ユーザポイント数更新部
１６  グループポイント数更新部
２０Ａ  第１ユーザ端末
２０Ｂ  第２ユーザ端末
３０  店舗端末
【図１】
2009053865.tif 000003
【図２】
2009053865.tif 000004
【図３】
2009053865.tif 000005
【図４】
2009053865.tif 000006
【図５】
2009053865.tif 000007
【図６】
2009053865.tif 000008
【図７】
2009053865.tif 000009
【図８】
2009053865.tif 000010
【図９】
2009053865.tif 000011
【図１０】
2009053865.tif 000012
【図１１】
2009053865.tif 000013
【図１２】
2009053865.tif 000014
【図１３】
2009053865.tif 000015
【図１４】
2009053865.tif 000016
【図１５】
2009053865.tif 000017
【図１６】
2009053865.tif 000018
【図１７】
2009053865.tif 000019